(57)【特許請求の範囲】
【請求項１】
複合波長光線を生成する光源から照射された照射光のうち所定波長の照射光を透過させるフィルター本体と、当該フィルター本体を取り付けるフィルター枠体とからなるフィルターを備えた除毛・減毛等の美容ライト脱毛処理に用いられる光学式美容機器のハンドピースであって、当該ハンドピースの筐体内部に設けられＲＦ波を発振するＲＦ波アンテナコイルと、前記フィルター枠体に設けられ前記フィルターの使用回数等の識別情報を記憶したフィルタＩＤメモリ及び前記ＲＦ波アンテナコイルから発振されるＲＦ波を受信するとともに受信したＲＦ波に前記識別情報を重畳してＲＦ反射波として送信するＩＣタグアンテナを搭載したＩＣタグと、を備えた光学式美容機器のハンドピースにおいて、前記フィルターに隣接してその前面に、一方の面が平面、他方の面が凸面で構成された凸レンズを介在させ、前記光源から照射された照射光を、前記凸レンズを経由して肌へ照射し、前記ハンドピースの肌接触部位より肌の内部側に焦点が生じるように集光して照射することを特徴とする光学式美容機器のハンドピース。
【請求項２】
前記凸レンズは、平面で構成された一方の面を肌接触側に、凸面で構成された他方の面を光源側に向けて配置して、前記フィルター枠体に固定したことを特徴とする請求項１記載の光学式美容機器のハンドピース。
【請求項３】
前記凸レンズの平面で構成された一方の面のレンズ側は、凸面で構成された他方の面のレンズ側に接する上底、肌接触側に接する下底、上底及び下底を繋ぐ脚からなる台形で形成され、前記上底と前記脚とで形成する角度は４３．５度以上且つ４６．５度以下としたことを特徴とする請求項１記載の光学式美容機器のハンドピース。
【請求項４】
前記凸レンズの平面で構成された一方の面のレンズ側は、前記脚の周囲を金属箔で装着したことを特徴とする請求項１記載の光学式美容機器のハンドピース。
【請求項５】
前記凸レンズの平面で構成された一方の面のレンズ側は、前記脚の周囲を装着した金属箔の上から保護テープを貼着したことを特徴とする請求項１記載の光学式美容機器のハンドピース。
【発明の詳細な説明】
【技術分野】
【０００１】
本発明は、光学式美容機器のハンドピースに関し、詳しくは、除毛・減毛等の美容ライト脱毛処理を行うにあたり短期間で効率よく美容ライト脱毛処理を行うことができる光学式美容機器のハンドピースに関する。
【背景技術】
【０００２】
従来から、脱毛用の美容機器として、電気的手法により体毛を透過させるもの、化学的手法により体毛を溶かすもの、光学的手法により体毛を綺麗にするもの（以下、これを光学式美容機器という。）等が周知である。光学式美容機器は、光源をパルス発光させ、その光を脱毛部分に照射して瞬間的に体毛を綺麗にする（例えば、特許文献１参照）ものであり、いわば「黒い物」に反応するという点で、しみ・ソバカス対策その他の美顔用としても有効である。
【０００３】
光学式美容機器は、大きく分けると、光源を所定の間隔でパルス発光させる制御を行う装置本体と、脱毛部分や美顔部分に光を直接照射するハンドピースとからなる。そして、その光源の正面に所定波長の照射光を透過させるフィルターを配置し、不要な照射光の透過を制限させる。フィルターは美容用途に応じて種々の種類があり、例えば、脱毛用には赤色のフィルターが、美顔用には黄色のフィルターが使用される。そのため、美容用途に応じたフィルター取り替え作業が必要になる。
【０００４】
このフィルター取り替え作業は、作業者の熟練度やその時の注意力により光学式美容機器の安全性に影響を与える。例えば、フィルターには表裏の区別があるがその見分け方は難しく、且つ、フィルターを取り付ける際に、フィルターが溝にしっかりとはめ込まれているかの確認がしにくいという問題があった。そのため、作業者がフィルターの取付方法を誤ると、照射光漏れの原因となり、顧客の火傷につながる問題があった。また、フィルターは消耗品であり、ハンドピース使用時の発熱によるフィルター軟化・溶化や着脱摩耗による磨り減りが生じる。そして、その要因により発生する照射光漏れは、顧客の火傷につながる問題があった。
【０００５】
さらに、光学式美容機器は、専門の業者が使用する業務用美容機器と家庭で手軽に使用する家庭用美容機器に分けられる。業務用美容機器は、広範囲な領域の脱毛処理を高速に行う必要があり、レーザ光線を利用する方法が一般的であるが、皮膚面の状態を画像センサで検出し、その画像の画像処理を行って体毛の位置を認識した後に、レーザビームの角度を変化させて１本１本の体毛に位置合わせを行って照射していくので、脱毛の処理時間が長くなり、長期間に亘りレーザービームが照射されると火傷、その他の事故に繋がる虞がある（例えば、特許文献２参照）。
【先行技術文献】
【特許文献】
【０００６】
【特許文献１】特開２００１−２８６３２６号公報
【特許文献２】特開２００６−８７８３９号公報
【発明の概要】
【発明が解決しようとする課題】
【０００７】
本出願人は、永年に亘り、業務用の光学式美容機器の開発に取り組み、上記のような問題点を解決するために、光学式美容機器のハンドピースのフィルターに着目し、所定の波長の照射光をカットするフィルター本体とフィルター本体が隙間の無い状態で装着されたか否かを確認するための確認片とによりフィルターの装着状態を一見して判断することができる光学式美容機器及びそのハンドピース及びそのフィルターに関する技術を開示（特開２００６−４２９９４号公報）している。
【０００８】
しかしながら、上述した先願技術（特開２００６−４２９９４号公報）においても、フィルターの装着状態の確認はあくまで作業者の目視によるものであったため、作業者が確認を怠るとフィルター未装着であるにも係わらず光照射作業がなされ、照射光漏れが発生するという問題があった。また、フィルター装着部分の取付はプラスチック製のジップロックを固定具として用いたものであったため、作業者が何か（周辺の器具、子供等）に接触してその衝撃でフィルターが脱落することがある。この場合、作業者がこれに気づかないまま光照射作業を継続すると、照射光漏れが発生するという問題があった。
【０００９】
そのため、本出願人は、光学式美容機器のハンドピースのフィルターの装着状態を更に改良し、作業者が目視で確認しなくても、フィルターが未装着である場合には、ハンドピースの筐体内部に設けられＲＦ波を発振するＲＦ波アンテナコイルと、フィルターの使用回数等の識別情報を記憶したフィルタＩＤメモリ及びＲＦ波アンテナコイルから発振されるＲＦ波を受信するとともに受信したＲＦ波に識別情報を重畳してＲＦ反射波として送信するＩＣタグアンテナを搭載したＩＣタグによりＲＦ反射波を受信したと認識しなければ、光照射を禁止して安全性を高める光学式美容機器及びこれに用いられるハンドピースに関する改良技術を開示（特開２０１２−１４３２８３号公報）している。
【００１０】
本発明は、上述した先願改良技術（特開２０１２−１４３２８３号公報）である安全性が高い光学式美容機器及びこれに用いられるハンドピースの技術に加え、除毛・減毛等の美容ライト脱毛処理を行うにあたり短期間で効率よく美容ライト脱毛処理を行うことができる光学式美容機器のハンドピースを提供することを目的とする。
【課題を解決するための手段】
【００１１】
上記目的を達成するため、請求項１の発明は、複合波長光線を生成する光源から照射された照射光のうち所定波長の照射光を透過させるフィルター本体と、当該フィルター本体を取り付けるフィルター枠体とからなるフィルターを備えた除毛・減毛等の美容ライト脱毛処理に用いられる光学式美容機器のハンドピースであって、当該ハンドピースの筐体内部に設けられＲＦ波を発振するＲＦ波アンテナコイルと、フィルター枠体に設けられフィルターの使用回数等の識別情報を記憶したフィルタＩＤメモリ及びＲＦ波アンテナコイルから発振されるＲＦ波を受信するとともに受信したＲＦ波に識別情報を重畳してＲＦ反射波として送信するＩＣタグアンテナを搭載したＩＣタグと、を備えた光学式美容機器のハンドピースにおいて、フィルターに隣接してその前面に、一方の面が平面、他方の面が凸面で構成された凸レンズを介在させ、光源から照射された照射光を、凸レンズを経由して肌へ照射し、ハンドピースの肌接触部位より肌の内部側に焦点が生じるように集光して照射することを特徴とするものである。
【００１２】
また、請求項２の発明は、除毛・減毛等の美容ライト脱毛処理に用いられる光学式美容機器のハンドピースであって、凸レンズは、平面で構成された一方の面を肌接触側に、凸面で構成された他方の面を光源側に向けて配置して、フィルター枠体に固定したことを特徴とするものである。
【００１３】
また、請求項３の発明は、除毛・減毛等の美容ライト脱毛処理に用いられる光学式美容機器のハンドピースであって、凸レンズの平面で構成された一方の面のレンズ側は、凸面で構成された他方の面のレンズ側に接する上底、肌接触側に接する下底、上底及び下底を繋ぐ脚からなる台形で形成され、上底と脚とで形成する角度は４３．５度以上且つ４６．５度以下としたことを特徴とするものである。
【００１４】
また、請求項４の発明は、除毛・減毛等の美容ライト脱毛処理に用いられる光学式美容機器のハンドピースであって、凸レンズの平面で構成された一方の面のレンズ側は、脚の周囲を金属箔で装着したことを特徴とするものである。
【００１５】
また、請求項５の発明は、除毛・減毛等の美容ライト脱毛処理に用いられる光学式美容機器のハンドピースであって、凸レンズの平面で構成された一方の面のレンズ側は、脚の周囲を装着した金属箔の上から保護テープを貼着したことを特徴とするものである。
【発明の効果】
【００１６】
請求項１記載の発明によれば、フィルターに隣接してその前面に、一方の面が平面、他方の面が凸面で構成された凸レンズを介在させ、光源から照射された照射光を、凸レンズを経由して肌へ照射し、ハンドピースの肌接触部位より肌の内部側に焦点が生じるように集光して照射するので、短期間で効率よく除毛・減毛等の美容ライト脱毛処理を行うことが可能となる。
【００１７】
また、請求項２記載の発明によれば、凸レンズは、平面で構成された一方の面を肌接触側に、凸面で構成された他方の面を光源側に向けて配置して、フィルター枠体に固定したので、ハンドピースを肌に接触させて照射光を照射させる際に、凸レンズを肌に密着させることができ、高密度のエネルギーでもって除毛・減毛等の美容ライト脱毛処理を行うことが可能となる。
【００１８】
また、請求項３記載の発明によれば、凸レンズの平面で構成された一方の面のレンズ側は、凸面で構成された他方の面のレンズ側に接する上底、肌接触側に接する下底、上底及び下底を繋ぐ脚からなる台形で形成され、上底と脚とで形成する角度は４３．５度以上且つ４６．５度以下としたので、人体（皮膚下５ミリの位置）に効果的に除毛、減毛を行うために光の反射を調整することが可能となる。
【００１９】
また、請求項４記載の発明によれば、凸レンズの平面で構成された一方の面のレンズ側は、脚の周囲を金属箔で装着したので、光源から照射された照射光が凸レンズを経由して肌へ照射する際に、照射光の入射角度が何れの方向から入射しても金属箔によって全反射され、効率よく除毛・減毛等の美容ライト脱毛処理を行うことが可能となる。
【００２０】
また、請求項５記載の発明によれば、凸レンズの平面で構成された一方の面のレンズ側は、脚の周囲を装着した金属箔の上から保護テープを貼着したので、光源から照射された照射光の熱を保護テープによって遮断し、人体への影響を軽減し安全性の高い除毛・減毛等の美容ライト脱毛処理を行うことが可能となる。
【図面の簡単な説明】
【００２１】
【図１】本発明の光学式美容機器の全体構成を示した外観図である。
【図２】本発明の光学式美容機器のハンドピースの（ａ）全体外観図、（ｂ）分解図である。
【図３】本発明の光学式美容機器のハンドピースの一方の筐体側からの外観図である。
【図４】本発明の光学式美容機器のハンドピースの（ａ）他方の筐体側からの外観図、（ｂ）裏側内面図である。
【図５】本発明のハンドピースに用いられるフィルターの（ａ）分解図、（ｂ）表側外観図、（ｃ）裏側外観図である。
【図６】本発明に用いられる凸レンズの外観図である。
【図７】図６に示した凸レンズの詳細を示した（ａ）側面図、（ｂ）要部拡大図である。
【図８】本発明の光学式美容機器の動作を説明するフローチャートである。
【発明を実施するための形態】
【実施例】
【００２２】
以下、本発明の実施の形態を図１乃至図８を参照して説明する。図１に示すように、本発明の光学式美容機器１０は、光源を所定の間隔でパルス発光させる制御を行う装置本体２０と美容ライト脱毛処理のために肌接触部位へ光を直接照射するハンドピース３０とから構成され、装置本体２０とハンドピース３０とは、シールド電線６０が収容された中空のジャバラ状の連結ホース７０によって互いに接続される。
【００２３】
装置本体２０は、キャスターにより移動可能のワゴン８０に搭載され、美容メニューの選択や各種設定を行うためのタッチパネル２１、キースイッチ類２２、ハンドピースフック２３及び図示はされてないが、パルス光の発生及びその制御を行うパルス信号発生部、ハンドピース３０の冷却を行う空冷ポンプ、装置本体２０を起動させ美容ライト脱毛処理装置として機能させるためのプログラムを格納したＲＯＭ、顧客の美容処理の履歴を記憶したり、運転中の演算データを一時的に格納するためのＲＡＭ、ＲＯＭからプログラムを読み出して装置各部と制御信号の授受を行って装置各部を制御する本体制御部、電源ユニット、電圧変換ユニット、冷却ファン等を備える。
【００２４】
ハンドピース３０は、図２（ａ）〜（ｂ）に示すように、高分子樹脂材料で金型成形された成形品からなる一方及び他方の筐体側面３１ａ、３１ｂを組み合わせた筐体３１で構成され、筐体３１の内部には、複合波長光線を生成する光源を有する照射ユニット３２、ＲＦ波を発振するＲＦ波アンテナコイル３７が設けられ、後述するＩＣタグと組み合わせてフィルター４０の未装着を検出する。ハンドピース３０の一端には、光源から生成された複合波長光線を肌接触部位へ照射するウィンドウ部３３が形成され、複合波長光線を生成する光源から照射された照射光のうち所定波長の照射光を透過させるフィルター４０が脱着自在に装着される。フィルター４０の前面には特異形状をした凸レンズ５０が隣接される。
【００２５】
ハンドピース３０を操作するための握り部３４の一方の筐体側面３１ａには、図３に示すように、ウィンドウ部３３から光を照射するための照射ボタン３５を、握り部３４の反対側の他方の筐体側面３１ｂには、図４（ａ）に示すように、センサー孔３６を備え、センサー孔３６を指で覆いながら照射ボタン３５を押さないと照射できないような安全設計が施されている。更に、握り部３４の他方の筐体側面３１ｂの裏側内面には、図４（ｂ）に示すように、照射ユニット３２内の光源の照射回数を記憶する照射回数記憶回路３８が設けられる。
【００２６】
照射ユニット３２内の光源は、キセノンランプのような複合波長光線を生成する光源が好適で、装置本体２０のパルス信号発生部からの制御信号を受けて所定時間（例えば、２０ｍｓｅｃ）、所定秒毎（例えば、１秒毎）に連続発光される。照射されたパルス光は被脱毛部位に当たったときに熱変換されて、除毛・減毛等の美容ライト脱毛処理をする。
【００２７】
フィルター４０は、図５（ａ）〜図５（ｃ）に示すように、ハンドピース３０のウィンドウ部３３に脱着自在に装着されるものであり、所定波長の照射光を透過させるフィルター本体４１と、フィルター本体４１を取り付けるフィルター枠体４２と、フィルター４０の脱着時に把持部分となる脱着片４３を備える。
【００２８】
フィルター本体４１は、長方形状の石英ガラスからなり、石英ガラスの表面に波長を制限する着色成分を蒸着させたものである。従って、フィルター４０を光源の正面に配置することによって、所定波長の照射光を透過させる。透過させる所定波長は、美容用途（例えば、脱毛用、美顔用）に因るが可視光領域を含む長波長側（４００ｎｍより長波長側）を透過させる。そのため、脱毛用には６００ｎｍ〜１２００ｎｍの波長の光を透過させる赤色の着色成分が蒸着されたものが、美顔用には５３０ｎｍ〜１２００ｎｍの波長の光を透過させる黄色の着色成分が蒸着されたものが、ニキビ肌用には４００ｎｍ〜５１０ｎｍの波長の光を透過させる青色の着色成分が蒸着されたものが、フィルター本体４１として用いられる。
【００２９】
フィルター枠体４２は、高分子樹脂材料を金型成形することにより製造され、フィルター本体４１の周囲に形成される。フィルター枠体４２は、ハンドピース３０のウィンドウ部３３に装着するための挿入片４２ａを備える。挿入片４２ａは、正面から見て逆Ｕ字条（コ字条）の外観であり、フィルター枠体４２の左右両端縁の長手方向に沿って対称に形成されるとともに、左右両端縁の上端縁は当該左右両端縁の各挿入片がそのまま延びて連繋される。左右両端縁側の挿入片の上方側は、凹部からなる係合凹部４２ｂが形成される。挿入片４２ａは、ハンドピース３０の筐体３１の挿入溝３１ｃに、その正面から見て、下側から挿入され、係合凹部４２ｂが筐体３１の挿入溝３１ｃに係合することにより、挿入片４２ａが挿入溝３１ｃに確実に嵌った状態となり、フィルター本体４１がフィルター枠体４２に装着される。
【００３０】
更に、フィルター４０をハンドピース３０から脱着する時に把持部分となる脱着片４３の裏面にはＩＣタグ４４が埋め込まれ、ＩＣタグ４４にはフィルターの使用回数その他の識別情報を記憶したフィルターＩＤメモリ４４ａ及び前述のＲＦ波アンテナコイル３７から発振されるＲＦ波を受信するとともに受信したＲＦ波に当該識別情報を重畳してＲＦ反射波として送信するＩＣタグアンテナ４４ｂが搭載される。
【００３１】
凸レンズ５０は、図６に示すように、一方の面が平面、他方の面が凸面で構成され、図２（ｂ）に示すように、平面で構成した一方の面５２を肌接触側に、凸面で構成した他方の面５１を光源側に向けて配置して、フィルター枠体４２に嵌め込むようにして固定してフィルター４０に隣接する。照射ユニット３２内の光源から照射された照射光は、フィルター４０を通り、凸レンズ５０の凸面で構成した他方の面５１から平面で構成した一方の面５２を経由して照射され、ハンドピース３０の肌接触部位より肌の内部側に焦点が生じるように集光して肌へ照射する。
【００３２】
また、凸レンズ５０の平面で構成した一方の面のレンズ側は、図７（ａ）に示すように、凸面で構成した他方の面のレンズ側に接する上底５２ａ、肌接触側に接する下底５２ｃ、上底及び下底を繋ぐ脚５２ｂからなる台形で形成され、上底５２ａ脚５２ｂとで形成する角度は４３．５度以上且つ４６．５度以下になるよう形成される。
【００３３】
また、凸レンズ５０の平面で構成した一方の面のレンズ側は、図７（ｂ）に示すように、脚５２ｂの周囲を金属箔５３で装着した。脚５２ｂの周囲を装着する金属箔５３は、上底５２ａから下底５２ｃより２ミリメートル上の位置までとする。金属箔５３の一例としてはアルミ金属が加工し易く好適である。金属箔５３を装着することにより、光源から照射された照射光が凸レンズ５０を経由して肌へ照射する際に、照射光の入射角度が何れの方向から入射しても金属箔５３によって全反射され、効率よく除毛・減毛等の美容ライト脱毛処理を行うことが可能となる。
【００３４】
また、凸レンズ５０の平面で構成した一方の面のレンズ側は、図７（ｂ）に示すように、脚５２ｂの周囲を装着した金属箔５３の上から保護テープ５４を貼着した。保護テープ５４は、上底５２ａから下底５２ｃより１ミリメートル上の位置までとする。保護テープ５４を貼着することにより、光源から照射された照射光の熱を保護テープ５４によって遮断し、人体への影響を軽減し安全性の高い除毛・減毛等の美容ライト脱毛処理を行うことが可能となる。
【００３５】
また、凸面で構成した他方の面５１の面積は、１３７７平方ミリメートル（５１ｍｍ×２７ｍｍ）として、最大級の照射面サイズであるのに対して、平面で構成した一方の面５２の面積は、５８５平方ミリメートル（３９ｍｍ×１５ｍｍ）として、凸面で構成した他方の面５１の面積の半分以下とした。
【００３６】
次に、図８に示すフローチャートを参照して、光学式美容機器の動作を説明する。先ず、光学式美容機器１０を操作するにあたり、装置本体２０を電源に接続し、電源スイッチを入れ、キースイッチ類２２をＯＮ側に回す（ＣＴ９１）と機械が起動し、タッチパネル２１に初期画面（スタート画面）が表示（ＣＴ９２）される。スタート画面のメニューの中から「美容ライト脱毛」を選び（ＣＴ９３）スタートボタンを押すとＲＯＭに格納されたプログラムを読み出し作動を開始する。
【００３７】
初めに、本体制御部（図示なし）が、照射回数記憶回路３８及びフィルターＩＤメモリ４４ａを参照（ＣＴ９４、ＣＴ９６）し、光源の照射回数及びフィルター４０の使用回数がいずれも所定回数、例えば６万回を超えていないかを判断（ＣＴ９５、ＣＴ９７）し、もし６万回を超えていたら作動を停止（ＣＴ１０２）する。６万回を超えていなければ美容ライト脱毛処理の準備が整い、装置本体２０のハンドピースフック２３からハンドピース３０を取り上げ美容ライト脱毛処理をスタートする。
【００３８】
フィルター４０は所定波長の照射光を透過させるフィルター本体４１と、フィルター本体４１を取り付けるフィルター枠体４２を備え、フィルター枠体４２はハンドピース３０のウィンドウ部３３に装着するため挿入片４２ａと係合凹部４２ｂを備え、挿入片４２ａは、ハンドピース３０の筐体３１の挿入溝３１ｃに挿入され、係合凹部４２ｂが筐体３１の挿入溝３１ｃに係合することにより、挿入片４２ａが挿入溝３１ｃに確実に嵌った状態となり、フィルター４０がハンドピース３０に装着される。
【００３９】
フィルター４０とハンドピース３０の装着状態が良好ならば、ＲＦ波アンテナコイル３７から発振されるＲＦ波はＩＣタグ４４のＩＣタグアンテナ４４ｂで受信される。ＩＣタグ４４はＲＦ波をエネルギー源として作動し、ＩＣタグアンテナ４４ｂによりＲＦ反射波を返し、ＲＦ波アンテナコイル３６で受信（ＣＴ９８）される。フィルター４０とハンドピース３０の装着状態が良好でないと、ＲＦ波アンテナコイル３７でＲＦ反射波の受信ができないので、本体制御部（図示なし）は美容ライト脱毛処理の作動を停止（ＣＴ１０２）する。
【００４０】
フィルター４０とハンドピース３０の装着状態が良好ならば、美容ライト脱毛処理の準備が整い、ハンドピース３０の握り部３４を右手で持ち、凸レンズ５０の平面で構成した一方の面５２を肌接触側に当て、右手中指でセンサー孔３６を覆いながら右手親指で照射ボタン３５を押す（ＣＴ９９）と美容ライト脱毛処理を開始（ＣＴ１００）する。右手中指でセンサー孔３６を覆わないと照射ボタン３５を押しても照射できず作動が停止（ＣＴ１０２）する。美容ライト脱毛処理が終了したかどうかを判断（ＣＴ１０１）し、終了していなければ照射回数記憶回路３８を参照（ＣＴ９４）する前まで戻り、美容ライト脱毛処理作業を繰り返し、終了していれば作業を終了（ＣＴ１０３）する。
【００４１】
本発明は、フィルター４０に隣接してその前面に一方の面が平面、他方の面が凸面で構成された凸レンズ５０を介在させ、照射ユニット３２内の光源から照射された照射光は、フィルター４０を通り、凸レンズ５０の凸面で構成した他方の面５１から平面で構成した一方の面５２を経由して照射され、ハンドピース３０の肌接触部位より肌の内部側に焦点が生じるように集光して肌へ照射するようにしたので、短期間で効率よく除毛・減毛等の美容ライト脱毛処理を行うことが可能となる。
する。
【００４２】
また、凸レンズ５０は、一方の面を平面、他方の面を凸面で構成し、平面で構成した一方の面５２を肌接触側に、凸面で構成した他方の面５１を光源側に向けて配置して、フィルター枠体に固定したので、ハンドピース３０を肌に接触させて照射光を照射させる際に、凸レンズ５０を肌に密着させることができるので、高密度のエネルギーでもって除毛・減毛等の美容ライト脱毛処理を行うことが可能となる。
【符号の説明】
【００４３】
１０  光学式美容機器
２０  装置本体
２１  タッチパネル
２２  キースイッチ類
２３  ハンドピースフック
３０  ハンドピース
３１  筐体
３１ａ、３１ｂ  筐体側面
３１ｃ  挿入溝
３２  照射ユニット
３３  ウィンドウ部
３４  握り部
３５  照射ボタン
３６  センサー孔
３７  ＲＦ波アンテナコイル
３８  照射回数記憶回路
４０  フィルター
４１  フィルター本体
４２  フィルター枠体
４２ａ  挿入片
４２ｂ  係合凹部
４３  脱着片
４４  ＩＣタグ
４４ａ  フィルターＩＤメモリ
４４ｂ  ＩＣタグアンテナ
５０  凸レンズ
５１  凸面で構成した他方の面
５２  平面で構成した一方の面
５２ａ  台形の上底
５２ｂ  台形の脚
５２ｃ  台形の下底
５２ｄ  台形の上底と脚で形成する角度
５３  金属箔
５４  保護テープ
６０  シールド電線
７０  連結ホース
８０  ワゴン
【要約】      （修正有）【課題】短期間で効率よく美容ライト脱毛処理を行うことができる光学式美容機器のハンドピースを提供する。【解決手段】光源から照射された光のうち所定波長の光を透過させるフィルター本体と、フィルター枠体４２とを備えたハンドピース３０であって、当該ハンドピース３０の筐体内部に設けられたＲＦ波アンテナコイルと、フィルター枠体４２に設けられフィルターの使用回数等の識別情報を記憶したフィルタＩＤメモリ及びＲＦ波アンテナコイルから発振されるＲＦ波を受信するとともに受信したＲＦ波に識別情報を重畳してＲＦ反射波として送信するＩＣタグアンテナを搭載したＩＣタグと、を備え、フィルター４０に隣接してその前面に、凸レンズ５０を介在させ、光源から照射された光を、凸レンズ５０を経由して肌へ照射し、ハンドピース３０の肌接触部位より肌の内部側に焦点が生じるように集光して照射する。【選択図】図２【図１】
0005481592.tif 000002
【図２】
0005481592.tif 000003
【図３】
0005481592.tif 000004
【図４】
0005481592.tif 000005
【図５】
0005481592.tif 000006
【図６】
0005481592.tif 000007
【図７】
0005481592.tif 000008
【図８】
0005481592.tif 000009